(57)【要約】      （修正有）【課題】門扉の開閉操作性や開閉安定性を損なうことなく、門扉の高さレベルを簡易に調整することができる嵩上門扉を提供する。【解決手段】主伸縮ゲート部材１０の幅方向の両端部のそれぞれを両側の各主支柱２０に支持し、少なくとも一側の主支柱２０の下端にキャスタ２０Ｒを備えた下部門扉１Ａを有してなる嵩上門扉であって、副伸縮ゲート部材１１０の両端部のそれぞれを両側の各副支柱１２０に支持してなる上部門扉１Ｂを有し、上部門扉１Ｂの各副支柱１２０の下端部が下部門扉１Ａの各主支柱２０の上端部に接続されてなるもの。【選択図】図３
0003199184.tif 000002
【実用新案登録請求の範囲】
【請求項１】
主伸縮ゲート部材の幅方向の両端部のそれぞれを両側の各主支柱に支持し、少なくとも一側の主支柱の下端にキャスタを備えた下部門扉を有してなる嵩上門扉であって、
副伸縮ゲート部材の両端部のそれぞれを両側の各副支柱に支持してなる上部門扉を有し、
上部門扉の各副支柱の下端部が下部門扉の各主支柱の上端部に接続されてなる嵩上門扉。
【請求項２】
前記上部門扉の各副支柱の下端部が、下部門扉の各主支柱の上端部に嵌合して接続されてなる請求項１に記載の嵩上門扉。
【請求項３】
前記下部門扉が主伸縮ゲート部材の幅方向の中間部を主中間支柱に支持し、該主中間支柱の下端にキャスタを備えてなるとともに、
前記上部門扉が副伸縮ゲート部材の幅方向の中間部を副中間支柱に支持し、
上部門扉の副中間支柱の下端部が下部門扉の主中間支柱の上端部に接続されてなる請求項１又は２に記載の嵩上門扉。
【請求項４】
前記上部門扉の副中間支柱の下端部と、下部門扉の主中間支柱の上端部とが、接続部材を介して接続されてなる請求項３に記載の嵩上門扉。
【請求項５】
前記主伸縮ゲート部材がパンタグラフ状をなすように組上げた複数の平行リンクアームの組立体からなり、
両側の各主支柱の上下方向の少なくとも一部に設けたスライド支持部に、主伸縮ゲート部材の幅方向の両端部のそれぞれにおける上下方向の少なくとも一部に位置する平行リンクアームの被支持部を上下スライド可能に支持し、
両側の各主支柱の上下方向の他の一部に設けた固定支持部に、主伸縮ゲート部材の幅方向の両端部のそれぞれにおける上下方向の他の一部に位置する平行リンクアームの被支持部を枢支するとともに、
前記副伸縮ゲート部材がパンタグラフ状をなすように組上げた複数の平行リンクアームの組立体からなり、
両側の各副支柱の上下方向の少なくとも一部に設けたスライド支持部に、副伸縮ゲート部材の幅方向の両端部のそれぞれにおける上下方向の少なくとも一部に位置する平行リンクアームの被支持部を上下スライド可能に支持し、
両側の各副支柱の上下方向の他の一部に設けた固定支持部に、副伸縮ゲート部材の幅方向の両端部のそれぞれにおける上下方向の他の一部に位置する平行リンクアームの被支持部を枢支してなる請求項１〜４のいずれかに記載の嵩上門扉。
【請求項６】
主中間支柱の上下方向の少なくとも一部に設けたスライド支持部に、主伸縮ゲート部材の幅方向の中間部における上下方向の少なくとも一部に位置する平行リンクアームの被支持部を上下スライド可能に支持し、
主中間支柱の上下方向の他の一部に設けた固定支持部に、主伸縮ゲート部材の幅方向の中間部における上下方向の他の一部に位置する平行リンクアームの被支持部を枢支するとともに、
前記副中間支柱の上下方向の少なくとも一部に設けたスライド支持部に、副伸縮ゲート部材の幅方向の中間部における上下方向の少なくとも一部に位置する平行リンクアームの被支持部を上下スライド可能に支持し、
副中間支柱の上下方向の他の一部に設けた固定支持部に、副伸縮ゲート部材の幅方向の中間部における上下方向の他の一部に位置する平行リンクアームの被支持部を枢支してなる請求項１〜５のいずれかに記載の嵩上門扉。
【考案の詳細な説明】
【技術分野】
【０００１】
本考案は嵩上門扉に関する。
【背景技術】
【０００２】
従来、工事現場における仮囲いの出入口に設置される仮設用門扉として、特許文献１に記載の如く、伸縮ゲート部材の幅方向の両端部のそれぞれを両側の各支柱に支持し、少なくとも一側の支柱の下端にキャスタを備えたものがある。
【０００３】
また、工事現場の仮設エレベータの出入口に設けられるゲートとして、特許文献２に記載の如く、伸縮ゲート部材の幅方向の両端部のそれぞれを両側の各支柱に支持し、少なくとも一側の支柱の下端にキャスタを備えるとともに、伸縮ゲート部材の裏面に該伸縮ゲート部材の高さよりも高い屏風折り型のパネル体を取付けたものがある。パネル体が、各現場に設置される仮設エレベータの出入口の高さに見合ったゲートを形成するものである。
【先行技術文献】
【特許文献】
【０００４】
【特許文献１】特開平6-146758号公報
【特許文献２】実登録3141596号公報
【考案の概要】
【考案が解決しようとする課題】
【０００５】
工事現場の仮囲いは、工事規模等によってその高さが一定でない。そして、仮囲いの出入口に設置される門扉の高さレベルは、当該仮囲いの高さに見合った高さに設定される。
【０００６】
従って、従来の特許文献１に記載の如くの門扉では、仮囲いの高さに応じた異なる高さレベルの門扉（標準型門扉又は大型門扉等）を予め用意しておく必要がある。この場合、高さレベルの異なる門扉の需要に迅速に対応できる反面、使用されない（需要のない）門扉は在庫品として保管しておくものになり、資材コストや保管コストの面から不合理になる。
【０００７】
尚、特許文献２に記載のゲート（伸縮ゲート部材の裏面に、該伸縮ゲート部材の高さより高い屏風折り型のパネル体を取付けたもの）を、仮囲いの出入口に設置される仮設用門扉に適用したときには、門扉の全体厚み及び全体重量が過大になり、門扉の開閉操作性及び開閉安定性が悪くなる他、門扉の保管スペースも大きくなって実用的でない。
【０００８】
本考案の課題は、門扉の開閉操作性や開閉安定性を損なうことなく、門扉の高さレベルを簡易に調整することにある。
【課題を解決するための手段】
【０００９】
請求項１に係る考案は、主伸縮ゲート部材の幅方向の両端部のそれぞれを両側の各主支柱に支持し、少なくとも一側の主支柱の下端にキャスタを備えた下部門扉を有してなる嵩上門扉であって、副伸縮ゲート部材の両端部のそれぞれを両側の各副支柱に支持してなる上部門扉を有し、上部門扉の各副支柱の下端部が下部門扉の各主支柱の上端部に接続されてなるようにしたものである。
【００１０】
請求項２に係る考案は、請求項１に係る考案において更に、前記上部門扉の各副支柱の下端部が、下部門扉の各主支柱の上端部に嵌合して接続されてなるようにしたものである。
【００１１】
請求項３に係る考案は、請求項１又は２に係る考案において更に、前記下部門扉が主伸縮ゲート部材の幅方向の中間部を主中間支柱に支持し、該主中間支柱の下端にキャスタを備えてなるとともに、前記上部門扉が副伸縮ゲート部材の幅方向の中間部を副中間支柱に支持し、上部門扉の副中間支柱の下端部が下部門扉の主中間支柱の上端部に接続されてなるようにしたものである。
【００１２】
請求項４に係る考案は、請求項３に係る考案において更に、前記上部門扉の副中間支柱の下端部と、下部門扉の主中間支柱の上端部とが、接続部材を介して接続されてなるようにしたものである。
【００１３】
請求項５に係る考案は、請求項１〜４のいずれかに係る考案において更に、前記主伸縮ゲート部材がパンタグラフ状をなすように組上げた複数の平行リンクアームの組立体からなり、両側の各主支柱の上下方向の少なくとも一部に設けたスライド支持部に、主伸縮ゲート部材の幅方向の両端部のそれぞれにおける上下方向の少なくとも一部に位置する平行リンクアームの被支持部を上下スライド可能に支持し、両側の各主支柱の上下方向の他の一部に設けた固定支持部に、主伸縮ゲート部材の幅方向の両端部のそれぞれにおける上下方向の他の一部に位置する平行リンクアームの被支持部を枢支するとともに、前記副伸縮ゲート部材がパンタグラフ状をなすように組上げた複数の平行リンクアームの組立体からなり、両側の各副支柱の上下方向の少なくとも一部に設けたスライド支持部に、副伸縮ゲート部材の幅方向の両端部のそれぞれにおける上下方向の少なくとも一部に位置する平行リンクアームの被支持部を上下スライド可能に支持し、両側の各副支柱の上下方向の他の一部に設けた固定支持部に、副伸縮ゲート部材の幅方向の両端部のそれぞれにおける上下方向の他の一部に位置する平行リンクアームの被支持部を枢支してなるようにしたものである。
【００１４】
請求項６に係る考案は、請求項１〜５のいずれかに係る考案において更に、主中間支柱の上下方向の少なくとも一部に設けたスライド支持部に、主伸縮ゲート部材の幅方向の中間部における上下方向の少なくとも一部に位置する平行リンクアームの被支持部を上下スライド可能に支持し、主中間支柱の上下方向の他の一部に設けた固定支持部に、主伸縮ゲート部材の幅方向の中間部における上下方向の他の一部に位置する平行リンクアームの被支持部を枢支するとともに、前記副中間支柱の上下方向の少なくとも一部に設けたスライド支持部に、副伸縮ゲート部材の幅方向の中間部における上下方向の少なくとも一部に位置する平行リンクアームの被支持部を上下スライド可能に支持し、副中間支柱の上下方向の他の一部に設けた固定支持部に、副伸縮ゲート部材の幅方向の中間部における上下方向の他の一部に位置する平行リンクアームの被支持部を枢支してなるようにしたものである。
【考案の効果】
【００１５】
（請求項１）
(a)嵩上門扉は、主伸縮ゲート部材の幅方向の両端部のそれぞれを両側の各主支柱に支持し、少なくとも一側の主支柱の下端にキャスタを備えた下部門扉を有するとともに、副伸縮ゲート部材の両端部のそれぞれを両側の各副支柱に支持してなる上部門扉を有し、上部門扉の各副支柱の下端部が下部門扉の各主支柱の上端部に接続される。即ち、嵩上門扉は、下部門扉の上に上部門扉を積み上げる如くの簡素な構成により、その高さレベルを簡易に調整できる。
【００１６】
また、嵩上門扉は、下部門扉の裏面に上部門扉を取付けるものでないから、門扉の全体厚み及び全体重量が過大にならず、門扉の開閉操作性及び開閉安定性を損なうことがない。
【００１７】
（請求項２）
(b)前記上部門扉の各副支柱の下端部が、下部門扉の各主支柱の上端部に嵌合することによって、簡易かつ安定的に接続される。
【００１８】
（請求項３）
(c)前記下部門扉が主伸縮ゲート部材の幅方向の中間部を主中間支柱に支持し、該主中間支柱の下端にキャスタを備えてなるとともに、前記上部門扉が副伸縮ゲート部材の幅方向の中間部を副中間支柱に支持し、上部門扉の副中間支柱の下端部が下部門扉の主中間支柱の上端部に接続される。即ち、嵩上門扉は、下部門扉と上部門扉をそれらの幅方向の中間部でも接続し、当該下部門扉の主中間支柱の下端にキャスタを備える。これにより、嵩上門扉の幅、高さが大型になっても、特に上部門扉を構成している副伸縮ゲート部材の幅方向の中間部における上下の大きな撓み、又は前後（副伸縮ゲート部材の正面に直交する方向）の大きな撓みを抑制でき、門扉の開閉操作性及び開閉安定性を向上できる。
【００１９】
（請求項４）
(d)前記上部門扉の副中間支柱の下端部と、下部門扉の主中間支柱の上端部とが、接続部材を介することにより、簡易かつ安定的に接続される。
【００２０】
（請求項５）
(e)パンタグラフ状をなすように組上げた複数の平行リンクアームの組立体からなる、主伸縮ゲート部材及び副伸縮ゲート部材を、両側の各主支柱及び各副支柱のそれぞれに設けたスライド支持部と固定支持部に支持する。これにより、主伸縮ゲート部材及び副伸縮ゲート部材を安定的に開閉操作できる。
【００２１】
（請求項６）
(f)パンタグラフ状をなすように組上げた複数の平行リンクアームの組立体からなる、主伸縮ゲート部材及び副伸縮ゲート部材を、主中間支柱及ぶ副中間支柱のそれぞれに設けたスライド支持部と固定支持部に支持する。これにより、主伸縮ゲート部材及び副伸縮ゲート部材を安定的に開閉操作できる。
【図面の簡単な説明】
【００２２】
【図１】図１は本考案の実施例に係る嵩上門扉の開き状態を示す正面図である。
【図２】図２は嵩上門扉の閉じ状態を示す正面図である。
【図３】図３は嵩上門扉の分解状態を示す正面図である。
【図４】図４は下部門扉の主支柱と上部門扉の副支柱の分離状態を示す模式図である。
【図５】図５は下部門扉の主支柱と上部門扉の副支柱の接続状態を示す模式図である。
【図６】図６は下部門扉の主中間支柱と上部門扉の副中間支柱の分離状態を示す模式図である。
【図７】図７は下部門扉の主中間支柱と上部門扉の副中間支柱の接続状態の正面視を示す模式図である。
【図８】図８は下部門扉の中間支柱と上部門扉の副中間支柱の接続状態の側面視を示す模式図である。
【図９】図９は接続部材を示し、（Ａ）は側面図、（Ｂ）は正面図、（Ｃ）は背面図、（Ｄ）は上端面図、（Ｅ）は下端図である。
【考案を実施するための形態】
【００２３】
図１、図２に示した嵩上門扉１は、図３に分離して示す如く、下部門扉１Ａと上部門扉１Ｂの接続体であり、工事現場における仮囲いの出入口等に設置される。まず、下部門扉１Ａと上部門扉１Ｂのそれぞれについて説明する。
【００２４】
（下部門扉１Ａ）
下部門扉１Ａは、主伸縮ゲート部材１０に両端部のそれぞれを両側の各主支柱２０に支持し、少なくとも一側（本実施例では両側）の主支柱２０の下端にキャスタ２０Ｒを備える。下部門扉１Ａは、主伸縮ゲート部材１０の伸びによって開き状態を形成し、主伸縮ゲート部材１０の縮みによって閉じ状態を形成する。
【００２５】
主伸縮ゲート部材１０は、パンタグラフ状をなすように組上げた複数の平行リンクアーム１１〜１４の組立体からなる。平行リンクアーム１１は右上がりの長尺体、平行リンクアーム１２は右下がりの長尺体、平行リンクアーム１３は右上がりの短尺体、平行リンクアーム１４は右下がりの短尺体である。各平行リンクアーム１１〜１４は互いに交差配置され、それらの各交点をボルト及びナットにより連結されたピボット枢着点１５とされている。
【００２６】
主支柱２０は、図４、図５に示す如く、長尺パイプ２１を有し、長尺パイプ２１の下端部にキャスタ２０Ｒを回転自在に支持する。
【００２７】
主支柱２０は、長尺パイプ２１の上下方向の少なくとも一部（本実施例では上部と下部）に上下のスライド支持部２４、２５を設け、長尺パイプ２１の上下方向の他の一部（本実施例では中間部）に固定支持部２６を設けてある。
【００２８】
これにより、主伸縮ゲート部材１０の幅方向（下部門扉１Ａの開閉方向に沿う方向）の両端部のそれぞれにおける上下方向の少なくとも一部（本実施例では上部と下部）に位置する平行リンクアーム１１、１２の上下端の被支持部１６、１７を、主支柱２０の上記の上下のスライド支持部２４、２５に設けてあるスライド溝２４Ａ、２５Ａに上下スライド可能に支持する。また、主伸縮ゲート部材１０の幅方向の両端部のそれぞれにおける上下方向の他の一部（本実施例では中間部）に位置する平行リンクアーム１３、１４の被支持部１８（平行リンクアーム１３と平行リンクアーム１４のピボット枢着点１５）を、主支柱２０の上記の固定支持部２６に枢支する。
【００２９】
下部門扉１Ａは、主伸縮ゲート部材１０の幅方向の中間部を主中間支柱３０に支持し、該主中間支柱３０の下端にキャスタ３０Ｒを備える。
【００３０】
主中間支柱３０は、図６〜図８に示す如く、２枚の短尺板３１、３２の下端部を連結ブラケット３３で連結し、連結ブラケット３３の下部にキャスタ３０Ｒを支持する。
【００３１】
主中間支柱３０は、短尺板３１、３２の上下方向の少なくとも一部（本実施例では下部）にスライド支持部３４を設け、短尺板３１、３２の上下方向の他の一部（本実施例では上部）に固定支持部３５を設けてある。
【００３２】
これにより、主伸縮ゲート部材１０の幅方向の中間部における上下方向の少なくとも一部（本実施例では下部）に位置する平行リンクアーム１１、１２の被支持部３６（平行リンク１１と平行リンクアーム１２の下端部のピボット枢着点１５）を、主中間支柱３０の上記の各短尺板３１、３２のスライド支持部３４に設けてあるスライド溝３４Ａに上下スライド可能に支持する。また、主伸縮ゲート部材１０の幅方向の中間部における上下方向の他の一部（本実施例では中間部）に位置する平行リンクアーム１１、１２の被支持部３７（平行リンクアーム１１と平行リンクアーム１２の中間部のピボット枢着点１５）を主中間支柱３０の上記の各短尺板３１、３２の固定支持部３５に枢支する。
【００３３】
従って、下部門扉１Ａにあっては、両側の各主支柱２０が主伸縮ゲート部材１０の幅方向で互いに接近又は離隔するように相対移動すると、主伸縮ゲート部材１０の両端部に位置する被支持部１８と中間部に位置する被支持部３７のそれぞれが各主支柱２０の固定支持部２６と主中間支柱３０の固定支持部３５のそれぞれに枢支され、かつ主伸縮ゲート部材１０の両端部に位置する上下の被支持部１６、１７と中間部に位置する被支持部３６のそれぞれが各主支柱２０の上下のスライド支持部２４、２５と主中間支柱３０のスライド支持部３４のそれぞれに上下スライドし、該主伸縮ゲート部材１０をその幅方向に伸縮可能にする。
【００３４】
（上部門扉１Ｂ）
上部門扉１Ｂは、副伸縮ゲート部材１１０の両端部のそれぞれを両側の各副支柱１２０に支持する。上部門扉１Ｂは、副伸縮ゲート部材１１０の伸びによって開き状態を形成し、副伸縮ゲート部材１１０の縮みによって閉じ状態を形成する。
【００３５】
副伸縮ゲート部材１１０は、パンタグラフ状をなすように組上げた複数の平行リンクアーム１１１、１１２の組立体からなる。平行リンクアーム１１１は右上がりの短尺体、平行リンクアーム１１２は右下がりの短尺体である。各平行リンクアーム１１１、１１２は互いに交差配置され、それらの各交点をボルト及びナットにより連結されたピボット枢着点１１３とされている。
【００３６】
副支柱１２０は、図４、図５に示す如く、上下に分割された上金物１２１と下金物１２２を有する。上金物１２１は、下部門扉１Ａの主支柱２０における長尺パイプ２１のパイプ孔に挿入して嵌合できる細径棒状嵌合部１２１Ａを備え、棒状嵌合部１２１Ａの上端部に対して段差面をなすストッパ面１２１Ｂを備え、このストッパ面１２１Ｂを長尺パイプ２１の上端面に衝合可能にしている。下金物１２２は、下部門扉１Ａの主支柱２０における長尺パイプ２１の上端側の外周に被着されて嵌合できる太径筒状嵌合部１２２Ａを備え、筒状嵌合部１２２Ａの下端面をストッパ面１２２Ｂとし、このストッパ面１２２Ｂを長尺パイプ２１の外周に固定したボルト頭からなるストッパ部２１Ｓに衝合可能にしている。
【００３７】
副支柱１２０は、上下方向の少なくとも一部（本実施例では上金物１２１の上部）にスライド支持部１２３を設け、上下方向の他の一部（本実施例では下金物１２２の上部）に固定支持部１２４を設けてある。
【００３８】
これにより、副伸縮ゲート部材１１０の幅方向（上部門扉１Ｂの開閉方向に沿う方向）の両端部のそれぞれにおける上下方向の少なくとも一部（本実施例では上部）に位置する平行リンクアーム１１１、１１２の上端の被支持部１１４を、副支柱１２０の上記のスライド支持部１２３に設けてあるスライド溝１２３Ａに上下スライド可能に支持する。また、副伸縮ゲート部材１１０の幅方向の両端部のそれぞれにおける上下方向の他の一部（本実施例では下部）に位置する平行リンクアーム１１１、１１２の下端の被支持部１１５を、副支柱１２０の上記の固定支持部１２４に枢支する。
【００３９】
上部門扉１Ｂは、副伸縮ゲート部材１１０の幅方向の中間部を副中間支柱１３０に支持する。副中間支柱１３０は、図６〜図８に示す如く、２枚の短尺板１３１、１３２の組からなる。
【００４０】
副中間支柱１３０は、短尺板１３１、１３２の上下方向の少なくとも一部（本実施例では上部）にスライド支持部１３３を設け、短尺板１３１、１３２の上下方向の他の一部（本実施例では下部）に固定支持部１３４を設けてある。
【００４１】
これにより副伸縮ゲート部材１１０の幅方向の中間部における上下方向の少なくとも一部（本実施例では上部）に位置する平行リンクアーム１１１、１１２の被支持部１３５（平行リンクアーム１１１と平行リンクアーム１１２の上端部のピボット枢着点１１３）を、副中間支柱１３０の上記の各短尺板１３１、１３２のスライド支持部１３３に設けてあるスライド溝１３３Ａに上下スライド可能に支持する。また、副伸縮ゲート部材１１０の幅方向の中間部における上下方向の他の一部（本実施例では下部）に位置する平行リンクアーム１１１、１１２の被支持部１３６（平行リンクアーム１１１と平行リンクアーム１１２の下端部のピボット枢着点１１３）を、副中間支柱１３０の上記の各短尺板１３１、１３２の固定支持部１３４に枢支する。
【００４２】
従って、上部門扉１Ｂにあっては、両側の各副支柱１２０が副伸縮ゲート部材１１０の幅方向で互いに接近又は離隔するように相対移動すると、副伸縮ゲート部材１１０の両端部に位置する被支持部１１５と中間部に位置する被支持部１３６のそれぞれが各副支柱１２０の固定支持部１２４と副中間支柱１３０の固定支持部１３４のそれぞれに枢支され、かつ副伸縮ゲート部材１１０の両端部に位置する被支持部１１４と中間部に位置する被支持部１３５のそれぞれが各副支柱１２０のスライド支持部１２３と副中間支柱１３０のスライド支持部１３３のそれぞれに上下スライドし、該副伸縮ゲート部材１１０をその幅方向に伸縮可能する。
【００４３】
（嵩上門扉１）
しかるに、嵩上門扉１は、上部門扉１Ｂの各副支柱１２０の下端部が、下部門扉１Ａの各主支柱２０の上端部に接続され、該門扉１の全体高さを嵩上げする。
【００４４】
本実施例では、図４、図５に示す如く、上部門扉１Ｂの各副支柱１２０を構成している下金物１２２の筒状嵌合部１２２Ａが下部門扉１Ａの各主支柱２０を構成している長尺パイプ２１の上端側の外周に被着されて嵌合され、筒状嵌合部１２２Ａの下端面からなるストッパ面１２２Ｂが長尺パイプ２１の外周に設けたストッパ部２１Ｓに衝合する。また、上部門扉１Ｂの各副支柱１２０を構成している上金物１２１の棒状嵌合部１２１Ａが各主支柱２０を構成している長尺パイプ２１の上端部に開口しているパイプ孔に挿入されて嵌合され、棒状嵌合部１２１Ａの上端部に備えた段差状ストッパ面１２１Ｂが長尺パイプ２１の上端面に衝合する。
【００４５】
また、嵩上門扉１は、上部門扉１Ｂの副中間支柱１３０の下端部が、下部門扉１Ａの主中間支柱３０の上端部に接続される。
【００４６】
本実施例では、図６〜図８に示す如く、上部門扉１Ｂの副中間支柱１３０を構成している一方の短尺板１３１（もしくは他方の短尺板１３２、又は短尺板１３１と短尺板１３２の両者）の下端部と、下部門扉１Ａの主中間支柱３０を構成している一方の短尺板３１（もしくは他方の短尺板３２、又は短尺板３１と短尺板３２の両者）の上端部とが、接続部材４０（両短尺板３１、３２の上端部が接続対象となるときには２個の接続部材４０、４０）を介して接続される。本実施例では主中間支柱３０と副中間支柱１３０を構成している一方の短尺板３１、１３１は工事現場の敷地内に臨み、他方の短尺板３２、１３２は道路側に臨むものとする。
【００４７】
接続部材４０は、図９に示す如く、１個の広幅Ｃ型断面をもつ型材４１を本体部とし、型材４１の背面側に位置して相対するそれらの各リップ部４１Ｌの下端側外側面のそれぞれにコ型断面の小寸法型材からなる下部接続材４２を溶接して備える。両下部接続材４２、４２がそれらのコ型凹部を向い合せ、それらのコ型凹部を接続溝４３とする。型材４１の各リップ部４１Ｌにおいて上記下部接続材４２の直上に位置する中間部外側面には、コ型断面の小寸法型材からなる１個のストッパ材４４が溶接され、ストッパ材４４のコ型凹部を下部接続材４２の上端面に臨む下向き配置し、このコ型凹部を嵌め合い凹部４４Ａとする。
【００４８】
接続部材４０は、型材４１の各リップ部４１Ｌの上端側外側面のそれぞれに上部支持ブラケット４５を溶接して備える。支持ブラケット４５は接続部材４０の正面側に張り出る中央折曲げ状凸部４５Ａにボルト挿通用長孔４５Ｂを備える。
【００４９】
従って、接続部材４０における下部接続材４２の接続溝４３の下端部を下部門扉１Ａの主中間支柱３０を構成している一方の短尺板３１の上端部に挿入し、下部接続材４２の直上に位置するストッパ材４４の嵌め合い凹部４４Ａを短尺板３１の上端面に上方から嵌め合いさせ、接続部材４０を短尺板３１の上端部に嵌合する。
【００５０】
また、上部門扉１Ｂの副中間支柱１３０を構成している一方の短尺板１３１の下端部を接続部材４０に設けた接続ブラケット４５の背面に相対するように配置し、副中間支柱１３０の下端部で各平行リンクアーム１１１、１１２を両短尺板１３１、１３２の固定支持部１３４に枢支している被支持部１３６（ボルト及びナットからなるピボット枢着点１１３）のボルト先端部を接続ブラケット４５の中央折曲げ状凸部４５Ａに設けてあるボルト挿通用長孔４５Ｂに挿通し、該ボルト先端部の挿通端に蝶ナット４６（４７は座金）を螺着する。蝶ナット４６によって副中間支柱１３０の下端部を接続ブラケット４５に引き寄せ固定する。
【００５１】
これにより、上部門扉１Ｂの副中間支柱１３０の下端部が、下部門扉１Ａの主中間支柱３０の上端部に接続される接続部材４０を介して、当該下部門扉１Ａの主中間支柱３０の上端部に固定的に接続されるものになる。
【００５２】
従って、本実施例によれば以下の作用効果を奏する。
(a)嵩上門扉１は、主伸縮ゲート部材１０の幅方向の両端部のそれぞれを両側の各主支柱２０に支持し、少なくとも一側の主支柱２０の下端にキャスタ２０Ｒを備えた下部門扉１Ａを有するとともに、副伸縮ゲート部材１１０の両端部のそれぞれを両側の各副支柱１２０に支持してなる上部門扉１Ｂを有し、上部門扉１Ｂの各副支柱１２０の下端部が下部門扉１Ａの各主支柱２０の上端部に接続される。即ち、嵩上門扉１は、下部門扉１Ａの上に上部門扉１Ｂを積み上げる如くの簡素な構成により、その高さレベルを簡易に調整できる。
【００５３】
また、嵩上門扉１は、下部門扉１Ａの裏面に上部門扉１Ｂを取付けるものでないから、門扉の全体厚み及び全体重量が過大にならず、門扉の開閉操作性及び開閉安定性を損なうことがない。
【００５４】
(b)前記上部門扉１Ｂの各副支柱１２０の下端部が、下部門扉１Ａの各主支柱２０の上端部に嵌合することによって、簡易かつ安定的に接続される。
【００５５】
(c)前記下部門扉１Ａが主伸縮ゲート部材１０の幅方向の中間部を主中間支柱３０に支持し、該主中間支柱３０の下端にキャスタ３０Ｒを備えてなるとともに、前記上部門扉１Ｂが副伸縮ゲート部材１１０の幅方向の中間部を副中間支柱１３０に支持し、上部門扉１Ｂの副中間支柱１３０の下端部が下部門扉１Ａの主中間支柱３０の上端部に接続される。即ち、嵩上門扉１は、下部門扉１Ａと上部門扉１Ｂをそれらの幅方向の中間部でも接続し、当該下部門扉１Ａの主中間支柱３０の下端にキャスタ３０Ｒを備える。これにより、嵩上門扉１の幅、高さが大型になっても、特に上部門扉１Ｂを構成している副伸縮ゲート部材１１０の幅方向の中間部における上下の大きな撓み、又は前後（副伸縮ゲート部材１１０の正面に直交する方向）の大きな撓みを抑制でき、門扉の開閉操作性及び開閉安定性を向上できる。
【００５６】
(d)前記上部門扉１Ｂの副中間支柱１３０の下端部と、下部門扉１Ａの主中間支柱３０の上端部とが、接続部材４０を介することにより、簡易かつ安定的に接続される。
【００５７】
(e)パンタグラフ状をなすように組上げた複数の平行リンクアーム１１〜１４、１１１、１１２の組立体からなる、主伸縮ゲート部材１０及び副伸縮ゲート部材１１０を、両側の各主支柱２０及び各副支柱１２０のそれぞれに設けたスライド支持部２４、２５、１２３と固定支持部２６、１２４に支持する。これにより、主伸縮ゲート部材１０及び副伸縮ゲート部材１１０を安定的に開閉操作できる。
【００５８】
(f)パンタグラフ状をなすように組上げた複数の平行リンクアーム１１〜１４、１１１、１１２の組立体からなる、主伸縮ゲート部材１０及び副伸縮ゲート部材１１０を、主中間支柱３０及ぶ副中間支柱１３０のそれぞれに設けたスライド支持部３４、１３３と固定支持部３５、１３４に支持する。これにより、主伸縮ゲート部材１０及び副伸縮ゲート部材１１０を安定的に開閉操作できる。
【００５９】
以上、本考案の実施例を図面により詳述したが、本考案の具体的な構成はこの実施例に限られるものではなく、本考案の要旨を逸脱しない範囲の設計の変更等があっても本考案に含まれる。例えば、本発明の下部門扉及び上部門扉の各伸縮ゲート部材は、パンタグラフ状をなすように組上げた平行リンクアームの組立体からなるものに限定されない。
【００６０】
また、本発明の実施において、上部門扉の副中間支柱の下端部と、下部門扉の主中間支柱の上端部とを接続する接続部材（上記実施例の接続部材４０）は、工事現場への侵入を禁止する等の表示部を構成するものでも良い。例えば、上部門扉１Ｂの副中間支柱１３０を構成している道路側の短尺板１３２の下端部と、下部門扉１Ａの主中間支柱３０を構成している道路側の短尺板３２の上端部とを接続部材４０により接続し、これによって道路側に臨む接続部材４０に進入禁止表示板等を一体、又は着脱可能に設けることもできる。
【産業上の利用可能性】
【００６１】
本考案に係る嵩上門扉によれば、門扉の開閉操作性や開閉安定性を損なうことなく、門扉の高さレベルを簡易に調整することができる。
【符号の説明】
【００６２】
１  嵩上門扉
１Ａ  下部門扉
１Ｂ  上部門扉
１０  主伸縮ゲート部材
１１〜１４  平行リンクアーム
２０  主支柱
２４、２５  スライド支持部
２６  固定支持部
２０Ｒ  キャスタ
３０  主中間支柱
３０Ｒ  キャスタ
３４  スライド
３５  固定支持部
４０  接続部材
１１０  副伸縮ゲート部材
１１１、１１２  平行リンクアーム
１２０  副支柱
１２３  スライド支持部
１２４  固定支持部
１３０  副中間支柱
１３３  スライド支持部
１３４  固定支持部
【図１】
0003199184.tif 000003
【図２】
0003199184.tif 000004
【図３】
0003199184.tif 000005
【図４】
0003199184.tif 000006
【図５】
0003199184.tif 000007
【図６】
0003199184.tif 000008
【図７】
0003199184.tif 000009
【図８】
0003199184.tif 000010
【図９】
0003199184.tif 000011